(57)【要約】遠心霧化構造及び当該霧化構造を有する噴霧装置において、遠心霧化構造は、複数の分流溝（１１）が開設されている遠心霧化ディスク（１）を備え、各分流溝（１１）は、遠心霧化ディスク（１）の中央位置から縁に向けて延伸し、遠心霧化ディスク（１）の外側には、その周方向に沿って複数の歯（２１）が間隔を置いて設けられている環状体（２）が設けられており、各歯（２１）は、環状体（２）の中心を基準として外に向けて放射状に配置され、環状体（２）は、遠心霧化ディスク（１）と同軸で設けられるとともに、その径方向において遠心霧化ディスク（１）との間に距離（３）を有し、また、遠心霧化ディスク（１）の中心がモータの出力軸に伝達接続されて噴霧装置を構成する。【選択図】図１
2021519693.tif 000002
【特許請求の範囲】
【請求項１】
複数の分流溝が開設されている遠心霧化ディスクを備え、各分流溝が前記遠心霧化ディスクの中央位置から縁に向けて延伸する遠心霧化構造であって、
前記遠心霧化ディスクの外側には、その周方向に沿って複数の歯が間隔を置いて設けられている環状体が設けられ、各歯は、前記環状体の中心を基準として外に向けて放射状に配置され、
前記環状体は、前記遠心霧化ディスクと同軸で設けられるとともに、その径方向において前記遠心霧化ディスクとの間に距離を有することを特徴とする遠心霧化構造。
【請求項２】
前記環状体の表面には、電気めっきポリテトラフルオロエチレン層又はナノ層が、コーティングされていることを特徴とする請求項１に記載の遠心霧化構造。
【請求項３】
前記遠心霧化ディスクは、回転可能に設けられ、前記環状体は、相対的に固定的に設けられ、又は、前記環状体と前記遠心霧化ディスクとは、回転方向が逆になるように配置されることを特徴とする請求項１又は請求項２に記載の遠心霧化構造。
【請求項４】
噴霧装置であって、
前記噴霧装置は、請求項１〜請求項３のいずれか１項に記載の遠心霧化構造を有し、
前記遠心霧化ディスクの中心は、モータの出力軸に伝達接続されていることを特徴とする噴霧装置。
【請求項５】
複数の分流溝が開設されている遠心霧化ディスクを備え、各分流溝が前記遠心霧化ディスクの中央位置から縁に向けて延伸する遠心霧化装置であって、
前記遠心霧化ディスクの外側には、前記遠心霧化ディスクと同軸で且つ相対的に回転可能な環状体が設けられ、前記環状体は、その径方向において前記遠心霧化ディスクとの間に距離を有し、
前記遠心霧化ディスクの回転により、その周囲に順方向風速場が形成され、この順方向風速場は、前記遠心霧化ディスクの中心の周りを時計回り或いは反時計回りに回転し、
動作状態において、前記環状体は、前記遠心霧化ディスクとの間に逆方向風速場を提供し、この逆方向風速場の回転方向と順方向風速場の回転方向とは逆であり、
前記逆方向風速場と前記順方向風速場との相互作用により、前記遠心霧化ディスクと前記環状体との間に帯状加速風速場が形成され、
前記環状体には、当該環状体の周方向に間隔を置いて分布される複数の帯状気流が形成され、各帯状気流は、前記分流溝から弾き飛ばされた液滴に対応して配置され、前記帯状気流の方向は、前記分流溝から弾き飛ばされた液滴の走行方向と反対であることを特徴とする遠心霧化装置。
【請求項６】
前記逆方向風速場の強さが、前記順方向風速場の強さより大きいことにより、前記帯状加速風速場の方向が、前記逆方向風速場と同じ方向になることを特徴とする請求項５に記載の遠心霧化装置。
【請求項７】
前記環状体は、前記遠心霧化ディスクに対して固定的に設けられ、前記環状体内には、その周方向に沿って通気溝が１周設けられ、
前記環状体の内周面には、前記通気溝と連通する複数の通気孔が開設され、
各通気孔は、前記環状体の周方向に間隔を置いて分布され、
前記帯状気流は、前記通気孔の延伸方向に沿って前記通気溝から外へ導出されることを特徴とする請求項５又は請求項６に記載の遠心霧化装置。
【請求項８】
前記遠心霧化ディスクの軸線に垂直な前記通気孔の軸方向断面において、前記通気孔の軸線と前記遠心霧化ディスク上での前記軸方向断面の孔壁の投影線の中心を通る半径との間の挟角が、６０°〜７５°であることを特徴とする請求項７に記載の遠心霧化装置。
【請求項９】
前記通気孔と前記分流溝との数の比は、１：１〜２：１であることを特徴とする請求項７又は請求項８に記載の遠心霧化装置。
【請求項１０】
前記環状体は、前記遠心霧化ディスクに対して逆方向に回転し、前記環状体には、その周方向に沿って複数の歯が間隔を置いて設けられ、各歯は、前記環状体の中心を基準として外に向けて放射状に配置され、前記歯の前記遠心霧化ディスクに近い側に前記帯状気流が生成されることを特徴とする請求項５又は請求項６に記載の遠心霧化装置。
【請求項１１】
前記歯の径方向断面は、矩形又は弧状であり、
前記歯の径方向断面が矩形である場合、前記遠心霧化ディスク上での矩形の長辺の中点を通る半径と前記長辺との間の挟角は、０°〜６０°であり、
前記歯の径方向断面が弧状である場合、前記遠心霧化ディスク上での弧状の中点を通る半径と弧状の中点を通る接線との間の挟角は、０°〜６０°であることを特徴とする請求項１０に記載の遠心霧化装置。
【請求項１２】
前記歯は、その放射方向におけるサイズが２〜４ｍｍであり、前記遠心霧化ディスクの軸方向におけるサイズが３ｍｍより大きく、放射方向に垂直な方向におけるサイズが０．５〜１ｍｍであることを特徴とする請求項１０又は請求項１１に記載の遠心霧化装置。
【請求項１３】
機体から予め設定された長さだけ延出した第１出力軸を含む第１駆動モータと、
前記第１出力軸が貫通して延出するように中空に形成された第２出力軸を含み、前記第１駆動モータと同軸で直列になる第２駆動モータと、を備え、
前記第２出力軸の末端に同軸で設けられる接続部材及び固定部材をさらに備え、前記接続部材の一端は、前記第２出力軸に外挿されて固定され、他端には、前記第１出力軸に外挿された固定部材が充填されていることを特徴とする駆動装置。
【請求項１４】
前記固定部材は、前記第１出力軸に固定接続される内環と、前記接続部材に固定接続される外環と、前記内環と前記外環との間に設けられて転がり摩擦を形成する転動体と、を備えていることを特徴とする請求項１３に記載の駆動装置。
【請求項１５】
前記第１出力軸と前記第２出力軸とは、互いに嵌合するように径方向隙間を有し、この径方向隙間は、≧０．１ｍｍ及び／又は≦１ｍｍであることを特徴とする請求項１３又は請求項１４に記載の駆動装置。
【請求項１６】
前記第１駆動モータは、内輪に設けられて第１出力軸が回転されるように駆動する第１ロータと、外輪に設けられる第１ステータと、を備え、
前記第２駆動モータは、内輪に設けられて第２出力軸が回転されるように駆動する第２ロータと、外輪に設けられる第２ステータと、を備え、
前記第１ステータ及び第２ステータは、それぞれ前記第１駆動モータ及び前記第２駆動モータの外側に外挿されるハウジングに固定接続されていることを特徴とする請求項１３〜請求項１５のいずれか１項に記載の駆動装置。
【請求項１７】
機体から予め設定された長さだけ延出した第１出力軸を含む第１駆動モータと、
前記第１出力軸が貫通して延出するように中空に形成された第２出力軸を含み、前記第１駆動モータと同軸で直列になる第２駆動モータと、
前記第１出力軸に外挿されてそれに固定接続される第１回転盤と、
前記第２出力軸に外挿されてそれに固定接続される第２回転盤と、を備え、
前記第２出力軸の末端に同軸で設けられる接続部材及び固定部材をさらに備え、
前記接続部材の一端は、前記第２出力軸に外挿されて固定され、他端には、前記第１出力軸に外挿された固定部材が充填されていることを特徴とするデュアル駆動噴霧装置。
【請求項１８】
前記接続部材は、中空凸部である嵌合部を含み、
前記嵌合部は、前記固定部材を充填するための充填室を形成し、
前記第２回転盤は、前記嵌合部に外挿されていることを特徴とする請求項１７に記載のデュアル駆動噴霧装置。
【請求項１９】
前記嵌合部には、その周方向に沿ってフランジが設けられていることを特徴とする請求項１８に記載のデュアル駆動噴霧装置。
【請求項２０】
前記第１回転盤の径方向側面には、その周方向に沿って複数の歯が設けられ、
前記歯は、前記第２回転盤の軸方向側辺との間に径方向距離を有することを特徴とする請求項１７〜請求項１９のいずれか１項に記載のデュアル駆動噴霧装置。
【発明の詳細な説明】
【関連出願の相互参照】
【０００１】
本願は、２０１８年０５月１６日に中国国家知識産権局に提出された、出願番号が２０１８２０７３０６３１．２であり、名称が「遠心霧化構造及び当該遠心霧化構造を有する噴霧装置」である中国出願と、２０１８年０５月１６日に中国国家知識産権局に提出された、出願番号が２０１８１０４６８４７４．７であり、名称が「遠心霧化装置」である中国出願と、２０１８年０８月２９日に中国国家知識産権局に提出された、出願番号が２０１８２１３９９７２２．９であり、名称が「駆動装置」である中国出願と、２０１８年０８月２９日に中国国家知識産権局に提出された、出願番号が２０１８１０９９６２３４．４であり、名称が「デュアル駆動噴霧装置」である中国出願と、を基礎として優先権を主張する。
【技術分野】
【０００２】
本発明は、噴霧技術分野に関し、具体的には、遠心霧化構造、及び、この遠心霧化構造を有する噴霧装置、遠心霧化装置、駆動装置、及び、デュアル駆動噴霧装置に関するものである。
【背景技術】
【０００３】
霧化とは、ノズルを介して、或いは、高速気流を用いて液体を微細な液滴に分散させる操作を言う。
霧化された多くの分散液滴は、空気中に浮遊し、噴霧される対象との接触面積を増やせることができ、噴霧効果を向上させる。
液体霧化方法としては、圧力霧化、ガス霧化、遠心力霧化、及び音波霧化などがある。
液体が、特殊装置を通過して小さな液滴になり、霧状になって噴射されることを言う。
【０００４】
遠心力霧化は、霧化ディスクがモータによって高速回転し、遠心力の作用によって液体が回転する霧化ディスクの表面で薄い膜状に展延するとともに、次第に速くなる速度でディスクの縁に移動し、液体は、ディスクの縁から離れるとミスト滴に霧化される。
既存の遠心霧化装置は、設計上の制約により、弾き飛ばされたミスト滴の粒子の大きさが不均一であるため、噴霧或いはかんがいが不均一になり、薬液をある程度無駄にすることが生じる。
【発明の概要】
【発明が解決しようとする課題】
【０００５】
本発明は、少なくとも霧状微粒子をより小さくかつより均一にすることができる遠心霧化構造及び当該遠心霧化構造を有する噴霧装置を提供する。
【課題を解決するための手段】
【０００６】
本発明は、複数の分流溝が開設されている遠心霧化ディスクを備え、各分流溝は、遠心霧化ディスクの中央位置から縁に向けて延伸する遠心霧化構造であって、遠心霧化ディスクの外側には、その周方向に沿って複数の歯が間隔を置いて設けられている環状体が設けられ、各歯は、環状体の中心を基準として外に向けて放射状に配置され、環状体は、前記遠心霧化ディスクと同軸で設けられるとともに、その径方向において遠心霧化ディスクとの間に距離を有することを特徴とする。
【０００７】
本発明は、噴霧装置であって、上記に開示の遠心霧化ディスクの中心がモータの出力軸に伝達接続されていることを特徴とする。
【０００８】
上記開示に関連する内容を、下記のように解釈する。
【０００９】
上記開示において、遠心霧化ディスクの径方向における各歯の最大サイズを歯の長さと定義し、当該径方向に垂直な方向における各歯の最大サイズを歯の幅と定義し、歯の長さは、歯の幅より大きく、歯は、環状体の周方向に間隔を置いて均一に分布される。
【００１０】
上記開示において、環状体と遠心霧化ディスクとの間の距離は、１〜２０ｍｍであり、好ましくは、１．５〜１５ｍｍであり、距離が小さすぎると、遠心霧化ディスクから弾き飛ばされたミスト滴が完全に引き裂かれず、引き裂き効果を達成できず、距離が大きすぎると、ミスト滴が動力を失って、２次衝突によるさらなる霧化を実現することができなくなる。
【００１１】
上記開示において、隣り合う２つの歯の基端部同士は、弧状で連結され、ミスト滴が歯の基端部に溜まることを防止する。
【００１２】
上記開示において、歯の基端部と環状体との間には、歯と環状体との間の接続がより強固になるように、面取りが設置されている。
【００１３】
上記開示において、遠心霧化ディスクの直径は、５０〜４００ｍｍである。
【００１４】
上記開示において、歯の長さは、２〜４ｍｍであり、歯の長さが短すぎると、歯を設計する際に密になりすぎて接着してしまう可能性があり、歯の長さが長すぎると、複数のミスト滴が１つの歯に同時に衝突して歯の表面に液膜が形成され、次のミスト滴が液膜によって吸収されて衝突による霧化を実現することができなくなる。
【００１５】
上記開示において、隣り合う歯同士の周方向距離は、２ｍｍ以上であり、好ましくは、３ｍｍより大きく、より好ましくは、４ｍｍより大きく、歯上の表面張力によって液膜が生成されることにより、ミスト滴が歯の表面に溜まることを防止することができる。
【００１６】
上記開示において、歯の径方向断面は、台形、長方形、又は弧状の構造であり、台形が好ましく、これにより、最大面積での衝突を実現し、ミスト滴が、歯の霧化ディスクに近い短辺に衝突して戻ることにより、歯を通過できないことを防止することができ、歯を弧状に設計することにより、生産と製造が容易になることができ、径方向断面は、ある点を通って軸線に垂直な断面である。
【００１７】
上記開示において、遠心霧化ディスク上での前記歯の最長辺の中点を通る半径と歯の最長辺との間の挟角は、−７°〜７°であり、分流溝の曲線が延出する接線方向と当該半径との間の挟角を負とし、遠心力及び分流溝の弧度が原因で、遠心霧化ディスクから弾き飛ばされたミスト滴の方向が、その接線から１５°〜２２°ずれ、ミスト滴が歯に衝突する入射角が、いずれも４５°前後になるように、歯の角度を−７°〜７°、好ましくは、０°〜７°、より好ましくは、０°に設計し、入射角を４５°とすることは、ミスト滴の衝突効果を向上させ、霧状微粒子をより均一にすることに有利になる。
【００１８】
上記開示において、環状体の外部には、電気めっきポリテトラフルオロエチレン層又はナノ層がコーティングされている。
【００１９】
上記開示において、遠心霧化ディスクの回転速度は、２０００〜５００００回転／分であり、好ましくは、１００００〜５００００回転／分である。
【００２０】
上記開示において、分流溝は、アルキメデス曲線状である。
【００２１】
上記開示において、遠心霧化ディスクは、回転可能に設けられ、環状体は、相対的に固定的に設けられ、又は、環状体と遠心霧化ディスクとは、回転方向が逆になるように配置され、遠心霧化ディスクと環状体とが回転方向が逆になるように設置されると、遠心霧化ディスクの相対的な回転速度を向上させ、霧化効果がさらに向上する。
【００２２】
上記開示において、歯と分流溝との数の比は、０．５：１〜２：１であり、好ましくは、１：１〜１．８：１である。
【００２３】
本発明の動作原理及び利点は、下記の通りである。
本発明は、遠心霧化ディスクの外周に環状体を増設し、環状体に分流溝に対応して歯を設けることにより、ミスト滴が遠心霧化ディスクから弾き飛ばされた後に歯に衝突して、正確な衝突を実現し、より一層霧化され、霧状微粒子の均一度を向上させ、また、衝突によりミスト滴の平均粒径が小さくなって、少なくとも、平均粒径が３０マイクロメートルの霧化効果、さらには、平均粒径が１０マイクロメートル以下の霧化効果を達成でき、衝突によって、霧化がより十分になり、霧状微粒子がより均一になり、かんがい・噴霧がより均一で、より浸透しやすくなるとともに、薬液の使用量を効果的に節約することができる。
【００２４】
本発明は、複数の分流溝が開設されている遠心霧化ディスクを備え、各分流溝が遠心霧化ディスクの中央位置から縁に向けて延伸する遠心霧化装置であって、
前記遠心霧化ディスクの外側には、前記遠心霧化ディスクと同軸で且つ相対的に回転可能な環状体が設けられている。
この環状体は、その径方向において遠心霧化ディスクとの間に距離を有し、遠心霧化ディスクの回転により、その周囲に順方向風速場が形成され、この順方向風速場は、遠心霧化ディスクの中心の周りを時計回り或いは反時計回りに回転する。
動作状態において、環状体は、遠心霧化ディスクとの間に逆方向風速場を提供し、この逆方向風速場の回転方向と順方向風速場の回転方向とは逆であり、逆方向風速場と順方向風速場との相互作用により、遠心霧化ディスクと環状体との間に帯状加速風速場が形成される。
環状体には、この環状体の周方向に間隔を置いて分布される複数の帯状気流が形成され、各帯状気流は、分流溝から弾き飛ばされた液滴に対応して配置され、帯状気流の方向は、分流溝から弾き飛ばされた液滴の走行方向と反対であることを特徴とする。
【００２５】
上記開示に関連する内容を、下記のように解釈する。
【００２６】
上記開示において、液滴は、遠心霧化ディスクの縁から弾き飛ばされる際に、静止空気に対する第１速度ｖ１を有し、順方向風速場の方向は、遠心霧化ディスクの回転方向と同じであり、順方向風速場は、第２速度ｖ２を有し、液滴と空気との相対速度を相対的に低下させ、液滴と空気との相対速度がｖ１−ｖ２になり、逆方向風速場の方向は、順方向風速場の方向と反対であり且つ第３速度ｖ３を有し、逆方向風速場は、順方向風速場を弱めるか又は逆転させるように作用し、液滴と空気との相対速度を大幅向上させ、液滴と空気との相対速度がｖ１−ｖ２＋ｖ３になる。
これにより、空気の流動速度が増加し、つまり、液滴を切断する速度が増加し、霧化された液滴の粒径が小さくなる。
また、帯状気流の方向は、分流溝から弾き飛ばされた液滴の走行方向と反対である。
これにより、液滴の切断をより良く実現することができ、液滴と空気との相対速度を向上させ、液滴の霧化効果が向上することができる。
【００２７】
上記開示において、逆方向風速場の強さが順方向風速場の強さより大きいことにより、帯状加速風速場の方向が逆方向風速場と同じになり、このとき、実現された帯状加速風速場は、液滴と空気との相対速度をより大きな程度で向上させ、霧化効果が倍増する。
他の場合では、逆方向風速場の強さが順方向風速場の強さ以下であってもよく、このとき、帯状加速風速場は、方向の逆転を実現していないが、順方向風速場を弱めたため、液滴と空気との相対速度を向上させ、霧化効果は、依然として理想的である。
【００２８】
上記開示において、その径方向における環状体と遠心霧化ディスクとの距離は、１〜２０ｍｍであり、距離が小さすぎると、帯状加速風速場を提供できず、距離が大きすぎると、帯状加速風速場は効果がない。
【００２９】
上記開示において、環状体は、相対的に固定的に設けられ、環状体内には、その周方向に沿って通気溝が１周設けられ、環状体の内周面には、通気溝と連通する複数の通気孔が開設され、各通気孔は、環状体の周方向に間隔を置いて分布され、帯状気流は、前記通気孔の延伸方向に沿って通気溝から外へ導出される。
【００３０】
好ましくは、通気孔は、環状体の周方向に間隔を置いて均一に分布される。
【００３１】
好ましくは、通気溝は、空気ポンプの排気口と連通する。
【００３２】
好ましくは、遠心霧化ディスクの軸線に垂直な通気孔の軸方向断面において、通気孔の軸線と、遠心霧化ディスク上での当該軸方向断面の孔壁の投影線の中心を通る半径との間の挟角は、６０°〜７５°である。
【００３３】
好ましくは、通気孔の排気口の孔径は、１〜３ｍｍである。
【００３４】
好ましくは、通気孔と分流溝との数の比は、１：１〜２：１である。
【００３５】
好ましくは、環状体には、電気めっきポリテトラフルオロエチレン層又はナノ層がコーティングされているため、環状体は、粘着しない効果を有し、液滴が溜まることを防止し、霧化効果を向上させることができる。
【００３６】
上記開示において、環状体は、遠心霧化ディスクに対して逆方向に回転し、環状体には、その周方向に沿って複数の歯が間隔を置いて設けられ、各歯は、環状体の中心を基準として外に向けて放射状に配置され、歯の前記遠心霧化ディスクに近い側に前記帯状気流が生成される。
【００３７】
好ましくは、歯の径方向断面は、矩形又は弧状であり、
歯の径方向断面が矩形である場合、遠心霧化ディスク上での矩形の長辺の中点を通る半径と当該長辺との間の挟角は、０°〜６０°であり、
歯の径方向断面が弧状である場合、遠心霧化ディスク上での弧状の中点を通る半径と弧状の中点を通る接線との間の挟角は、０°〜６０°である。
【００３８】
好ましくは、隣り合う２つの歯同士の周方向距離は、２ｍｍより大きく、好ましくは、３ｍｍより大きく、より好ましくは、４ｍｍより大きく、歯上の表面張力によって液膜が生成されることにより、ミスト滴が歯の表面に溜まることを防止することができる。
【００３９】
好ましくは、歯は、その放射方向におけるサイズが２〜４ｍｍであり、その軸方向におけるサイズが、３ｍｍより大きく、放射方向に垂直な方向におけるサイズが、０．５〜１ｍｍである。
歯のその放射方向におけるサイズが短すぎると、歯を設計する際に密になりすぎて接着してしまう可能性があり、歯のその放射方向におけるサイズが長すぎると、複数の液滴が１つの歯に同時に衝突して、歯の表面に液膜が形成されて、次の液滴が液膜によって吸収され、２次衝突による霧化を実現することができなくなり、前記歯の径方向断面が弧状である場合、当該弧に対応する弦長が当該歯の放射方向におけるサイズである。
【００４０】
好ましくは、その径方向における環状体と遠心霧化ディスクとの距離は、１〜２０ｍｍであり、好ましくは、３〜１０ｍｍであり、距離が小さすぎると、帯状加速風速場を提供できず、距離が大きすぎると、帯状加速風速場は、効果がなく、帯状加速風速場は、液滴の相対速度を向上させる作用を実現できないとともに、さらに衝突する効果も実現することができなくなる。
好ましくは、前記歯は、環状体の周方向に間隔を置いて均一に分布される。
【００４１】
好ましくは、環状体及び歯には、電気めっきポリテトラフルオロエチレン層又はナノ層がコーティングされているため、環状体及び歯は粘着しない効果を有し、液滴が溜まることを防止し、霧化効果を向上させることができる。
【００４２】
好ましくは、遠心霧化ディスクの回転速度は、２０００〜５００００回転／分であり、好ましくは、１００００〜５００００回転／分であり、前記環状体の回転速度は、２０００〜５００００回転／分であり、好ましくは、１００００〜５００００回転／分である。
【００４３】
好ましくは、歯と分流溝との数の比は、０．５：１〜２：１であり、好ましくは、１：１〜１．８：１である。
【００４４】
上記開示において、前記遠心霧化ディスクの直径は、５０〜３００ｍｍである。
【００４５】
上記開示において、分流溝は、アルキメデス曲線状である。
【００４６】
本発明の動作原理及び利点は、下記のとおりである。
本発明は、遠心霧化ディスクの外周に、この遠心霧化ディスクと同軸で且つ相対的に回転可能な環状体を増設することにより、動作状態において、環状体によって生成される風速場と、遠心霧化ディスク自体が生成する風速場とは、方向が反対であり、遠心霧化ディスク自体が生成する風速場は、依然として存在するが、環状体によって生成される風速場が、遠心霧化ディスク自体の風速場を弱めるか又は逆転させ、形成された帯状加速風速場が遠心霧化ディスクと空気流の相対回転速度を大幅向上させるため、霧化ディスクの回転速度の向上を不要としても、液滴の空気に対する相対速度を向上させることができ、液滴の平均粒径が小さくなり、霧化がより十分になり、霧状微粒子もより均一になり、かんがい・噴霧がより均一で、より浸透しやすくなるとともに、薬液の使用量を効果的に節約することができる。
【００４７】
本発明は、回転速度の高い回転を制御することを実現するために、構造が安定的であり、摩擦が生じにくく、慣性モーメントが小さい駆動装置も提供する。
具体的には、機体から予め設定された長さだけ延出した第１出力軸を含む第１駆動モータと、前記第１出力軸が貫通して延出するように中空に形成された第２出力軸を含み、前記第１駆動モータと同軸で直列になる第２駆動モータと、を備え、第２出力軸の末端に同軸で設けられる接続部材及び固定部材をさらに備え、前記接続部材の一端は、前記第２出力軸に外挿されて固定され、他端には、前記第１出力軸に外挿された固定部材が充填される。
【００４８】
好ましくは、固定部材は、第１出力軸に固定接続される内環と、接続部材に固定接続される外環と、内環と外環との間に設けられて転がり摩擦を形成する転動体と、を備える。
【００４９】
好ましくは、第１出力軸と第２出力軸とは、互いに嵌合するように径方向隙間を有し、この隙間は、≧０．１ｍｍ及び／又は≦１ｍｍである。
【００５０】
好ましくは、第１駆動モータは、内輪に設けられて第１出力軸が回転されるように駆動する第１ロータと、外輪に設けられる第１ステータと、を備え、第２駆動モータは、内輪に設けられて第２出力軸が回転されるように駆動する第２ロータと、外輪に設けられる第２ステータと、を備え、第１ステータ及び第２ステータは、それぞれ第１駆動モータ及び第２駆動モータの外側に外挿されるハウジングに固定接続される。
【００５１】
本発明の主な目的は、噴霧の霧化効果を向上させ、作業効率を向上させるために、慣性モーメントが小さく、構造が安定的であり、回転速度の高いデュアル駆動噴霧装置を提供することである。
【００５２】
上記の目的を実現するために、デュアル駆動噴霧装置を提供し、前記装置は、機体から予め設定された長さだけ延出した第１出力軸を含む第１駆動モータと、第１出力軸が貫通して延出するように中空に形成された第２出力軸を含み、第１駆動モータと同軸で直列になる第２駆動モータと、第１出力軸に外挿されてそれに固定接続される第１回転盤と、第２出力軸に外挿されてそれに固定接続される第２回転盤と、を備え、第２出力軸の末端に同軸で設けられる接続部材及び固定部材をさらに備え、接続部材の一端は、第２出力軸に外挿されて固定され、他端には、第１出力軸に外挿された固定部材が充填される。
【００５３】
好ましくは、第２回転盤は、接続部材に外挿されて第２出力軸と固定接続される。
【００５４】
好ましくは、接続部材は、中空凸部である嵌合部を含み、嵌合部は、固定部材を充填するための充填室を形成し、第２回転盤は、嵌合部に外挿される。
【００５５】
好ましくは、嵌合部には、周方向に沿ってフランジが設けられている。
【００５６】
好ましくは、第１回転盤は、第１出力軸の末端に外挿され、第２回転盤は、軸線方向において第１回転盤との間に軸方向距離を有している。
【００５７】
好ましくは、第１回転盤の径方向側面には、周方向にそって複数の歯が設けられ、歯は、第２回転盤の軸方向側辺との間に径方向距離を有している。
【００５８】
好ましくは、第１出力軸の直径は、≦８ｍｍであり、第２出力軸の中空直径は、≦１２ｍｍであり、第２出力軸２１の側壁の径方向幅は、≦５ｍｍである。
【発明の効果】
【００５９】
本発明の技術的解決手段を適用すると、２つの駆動モータを直列に設けることにより、第１回転盤及び第２回転盤の回転を制御し、第１出力軸及び第２出力軸の直径を小さくし、慣性モーメントを低下させ、接続部材及び固定部材の設置により、第１出力軸及び第２出力軸を支持し、両者の摩擦を回避し、噴霧装置の安定性を高めて、回転速度が高くなり、安定性の高い噴霧制御を実現し、噴霧の霧化効果を向上させ、作業効率を向上させることができる。
【図面の簡単な説明】
【００６０】
【図１】本発明の実施例に係る遠心霧化構造の正面図である。
【図２】本発明の実施例に係る遠心霧化構造の斜視図である。
【図３】本発明の実施例に係る遠心霧化構造の別の斜視図である。
【図４】本発明の実施例に係る遠心霧化構造のさらに別の斜視図である。
【図５】本発明の実施例に係る遠心霧化構造の別の正面図である。
【図６】図５の部分拡大図である。
【図７】本発明の実施例に係る遠心霧化装置の正面図である。
【図８】図７の実施例に係る遠心霧化装置の斜視図である。
【図９】本発明の実施例に係る遠心霧化装置の別の斜視図である。
【図１０】本発明の一実施例による駆動装置の概略断面図を示す。
【図１１】本発明の別の実施例による駆動装置の概略断面図を示す。
【図１２】図１１のＡ部の部分拡大概略図である。
【図１３】本発明のさらに別の実施例による駆動装置の概略断面図を示す。
【図１４】本発明の一実施例による駆動装置の接続部材の概略構造図を示す。
【図１５】本発明の一実施例によるデュアル駆動噴霧装置の概略断面図を示す。
【図１６】図１５のＡ部の部分拡大概略図である。
【図１７】本発明の別の実施例によるデュアル駆動噴霧装置の概略断面図を示す。
【図１８】本発明のさらに別の実施例によるデュアル駆動噴霧装置の概略構造図を示す。
【図１９】本発明の一実施例によるデュアル駆動噴霧装置の接続部材の概略構造図を示す。
【発明を実施するための形態】
【００６１】
以下、本発明の実施例の目的、技術的解決手段及び利点をより明確にするために、本発明の実施例の添付図面を参照しながら、本発明の実施例の技術的解決手段について明確かつ完全に説明するが、説明された実施例は、本発明の実施例の一部に過ぎず、全ての実施例ではないことは明らかである。
本発明の実施例に基づいて、当業者の創造的な労働なしに得られた全ての他の実施例は、いずれも本発明の保護範囲に属する。
【００６２】
以下、添付図面及び実施例を参照しながら、本発明について説明する。
【００６３】
図１及び図２を参照すると、遠心霧化構造は、複数の分流溝１１が開設されている遠心霧化ディスク１を備え、各分流溝１１は、遠心霧化ディスク１の中央位置から縁に向けて延伸し、分流溝１１の出口は、遠心霧化ディスク１の縁で開口されている。
【００６４】
遠心霧化ディスク１の外側には、遠心霧化ディスク１と同軸で設けられるとともに、その径方向において遠心霧化ディスク１との間に距離３を有する環状体２が設けられている。
環状体２には、その周方向に沿って間隔を置いて均一に複数の歯２１が設けられ、歯２１は、分流溝１１に対応するように設けられ、各歯は、環状体の中心を基準として外に向けて放射状に配置されている。
その目的としては、隣り合う２つの歯２１の長辺を対向するように配置することにより、ミスト滴が遠心霧化ディスク１から弾き飛ばされた後に歯２１に衝突されて霧化を精度よく実現することができる。
【００６５】
距離３は、２ｍｍであり、距離３が小さすぎると、遠心霧化ディスク１から弾き飛ばされたミスト滴が完全に引き裂かれなくて引き裂き効果を達成できず、距離３が大きすぎると、ミスト滴が動力を失って衝突によるさらなる霧化を実現することができなくなる。
【００６６】
歯２１の長さは、３ｍｍであり、歯２１の長さが短すぎると、歯２１を設計する際に密になりすぎて接着してしまう可能性があり、歯２１の長さが長すぎると、複数のミスト滴が１つの歯２１に同時に衝突して歯２１の表面に液膜が形成され、次のミスト滴が液膜によって吸収されて衝突による霧化を実現することができなくなる。
【００６７】
隣り合う歯２１同士の周方向距離は、４ｍｍより大きく、歯２１上の表面張力によって液膜が生成されることにより、ミスト滴が歯２１の表面に溜まることを防止することができる。
【００６８】
歯２１の径方向横断面は、矩形構造である。
遠心霧化ディスクの直径は、２００ｍｍである。
遠心霧化ディスクの回転速度は、２００００回転／分である。
【００６９】
ミスト滴が歯２１に衝突する入射角が、いずれも４５°前後になるように、歯２１の角度を０°に設計することが好ましく、入射角を４５°とすることは、ミスト滴の衝突効果を向上させ、霧状微粒子をより均一にすることに有利になる。
【００７０】
歯２１の基端部と環状体２との間には、歯２１と環状体２との間の接続がより強固になるように、面取りが設けられている。
【００７１】
環状体２の表面には、粘着しない効果を実現してミスト滴が環状体の表面に溜まることを防止するように、電気めっきポリテトラフルオロエチレン層又はナノ層がコーティングされている。
【００７２】
分流溝１１は、アルキメデス曲線状であり、遠心霧化効果を向上させる。
【００７３】
歯と分流溝との数の比は、０．５：１〜２：１であり、選択的に、各々の分流溝１１から弾き飛ばされたミスト滴がいずれも２つの隣り合う歯２１の間で衝突できれば、歯２１と分流溝１１とを０．８：１或いは１．５：１の比例に従って配置してもよい。
【００７４】
遠心霧化ディスク１がその軸心の周りを回転する際に、環状体２が、その軸心に対して固定され、又は、環状体２と遠心霧化ディスク１とは回転方向が逆になるように配置される。
このとき、環状体２の回転方向は、遠心霧化ディスク１の方向と反対であり、遠心霧化ディスク１と環状体２とを回転方向が逆になるように設けると、空気の流動速度を向上させ、遠心霧化ディスク１の相対回転速度を向上させることに相当し、霧化効果をさらに向上させる。
【００７５】
本発明は、遠心霧化ディスク１の外周に環状体２を増設し、環状体２に分流溝１１に対応して歯２１を設けることにより、ミスト滴が遠心霧化ディスク１から弾き飛ばされた後に歯２１に衝突する。
本発明の構造設計で、環状体２上の歯２１を微細設計することにより、遠心霧化ディスク１から出て来たミスト滴が隣り合う２つの歯２１の間でより効果的に衝突できるように保証することができ、衝突角度がより良い一方、歯２１と分流溝１１の数の設計、及び、歯２１のサイズの設計により、液膜などの生成によりミスト滴が歯２１に溜まることを防止し、より良い霧化効果を達成することができ、霧状微粒子の均一度を向上させ、また、衝突によりミスト滴の平均粒径が小さくなって、平均粒径が３０マイクロメートルの霧化効果、さらには、平均粒径が１０マイクロメートル以下の霧化効果を達成することができ、衝突によって、霧化がより十分になり、霧状微粒子もより均一になり、かんがい・噴霧がより均一で、より浸透しやすくなるとともに、薬液の使用量を効果的に節約することができる。
【００７６】
図３を参照すると、隣り合う２つの歯２１の基端部同士は、弧状で連結され、ミスト滴が歯の基端部に溜まることを防止し、残り部分は、上記の実施例と同じであるため、ここでは、詳細な説明を省略する。
【００７７】
図４〜図６を参照すると、前記歯２１の径方向横断面は、台形である。
これにより、最大面積での衝突を実現して、ミスト滴が短辺に衝突して戻ることを防止し、残り部分は、上記の実施例と同じであるため、ここでは、詳細な説明を省略する。
【００７８】
簡略に説明するため、本実施例に言及されていない点は、上記の実施例を参照することができる。
より好ましい形態は、図７及び図８を参照されたい。
本実施例に係る遠心霧化装置は、上記の実施例に記載の遠心霧化構造を備え、上記の実施例に記述された技術的解決手段も、当該実施例に属し、上記の実施例に記載の遠心霧化ディスク１も、本実施例に係る遠心霧化ディスク１に属する。
【００７９】
本発明の実施例は、図示されていない噴霧装置（手持ち噴霧機或いは噴霧ドローンなど）に設けられる遠心霧化装置を提供し、前記遠心霧化装置は、複数の分流溝１１が開設されている遠心霧化ディスク１を備え、各分流溝１１は、遠心霧化ディスク１の中央位置から縁に向けて延伸する。
【００８０】
遠心霧化ディスク１の外側には、当該遠心霧化ディスク１と同軸で且つ相対的に回転可能な環状体２が設けられ、遠心霧化ディスク１は、前記噴霧装置の本体に対して回転可能に設けられ、遠心霧化ディスク１は、モータの駆動によって回転される。
環状体２は、噴霧装置の本体に対して固定的に設けられ、この環状体２は、その径方向において遠心霧化ディスク１との間に距離３を有している。
【００８１】
環状体２内には、その周方向に沿って通気溝が１周設けられ、環状体２の内周面には、通気溝と連通する複数の通気孔２３が開設され、各通気孔２３は、環状体２の周方向に等間隔で分布され、通気孔２３の排気口の気流の方向は、遠心霧化ディスク１上で分流溝１１から弾き飛ばされる液滴の走行方向と反対である。
これにより、遠心霧化ディスク１の外周に遠心霧化ディスク１自体と逆方向である風速場を生成し、遠心霧化ディスク１の空気流に対する相対回転速度を向上させる。
【００８２】
液滴は、遠心霧化ディスク１の縁から弾き飛ばされる際に、静止空気に対する第１速度ｖ１を有し、順方向風速場の方向は、遠心霧化ディスク１の回転方向と同じであり、順方向風速場は、第２速度ｖ２を有し、液滴と空気との相対速度を相対的に低下させ、液滴と空気との相対速度がｖ１−ｖ２になり、逆方向風速場の方向は、順方向風速場の方向と反対であり且つ第３速度ｖ３を有し、液滴と空気との相対速度を大幅向上させ、液滴と空気との相対速度がｖ１−ｖ２＋ｖ３になり、逆方向風速場は、順方向風速場を弱めるか又は逆転させるように作用する。
これにより、空気の流動速度が増加し、つまり、液滴を切断する速度が増加し、霧化された液滴の粒径が小さくなる。液滴と空気との相対速度が向上し、つまり、遠心霧化ディスクの空気に対する相対回転速度の向上と間接的に等しい。
本発明の実施例の遠心霧化装置を用いると、１〜３０マイクロメートルの液滴の粒径を実現でき、その平均粒径は１０マイクロメートル前後に達することができ、液滴の平均粒径を効果的に小さくし、霧化効果を極めて大きく向上させる。
また、帯状気流の方向は、分流溝から弾き飛ばされた液滴の走行方向と反対である。
これにより、液滴の切断をより良く実現することができ、液滴と空気との相対速度を向上させ、液滴の霧化効果が向上することができる。
ここでの帯状気流の気流方向と液滴の走行方向は、反対であり、この両者の方向の間の挟角が９０°より大きいと理解でき、好ましくは、１８０°である場合、効果がより良い。
【００８３】
好ましくは、逆方向風速場の強さが前記順方向風速場の強さより大きいことにより、帯状加速風速場の方向が逆方向風速場と同じになり、このとき、実現された帯状加速風速場は、液滴と空気との相対速度をより大きな程度で向上させ、霧化効果が倍増する。
他の場合では、逆方向風速場の強さが順方向風速場の強さ以下であってもよく、このとき、帯状加速風速場は、方向の逆転を実現していないが、順方向風速場を弱めたため、液滴と空気との相対速度を向上させ、霧化効果は依然として理想的である。
【００８４】
遠心霧化ディスク１の軸線に垂直な通気孔の軸方向断面において、通気孔２３の軸線と、遠心霧化ディスク１上での軸方向断面の孔壁の投影線の中心を通る半径との間の挟角は、６０°〜７５°である。
遠心霧化ディスクから弾き飛ばされた液滴は、その接線方向に対して一定の角度を有し、通気孔の方向をこのように設計すると、通気孔から噴出されるガスと液滴とは、方向が１８０°を呈するように逆に設けられ、液滴を切断する作用をより良く実現し、霧化効果がより良い。
【００８５】
通気溝は、空気ポンプの排気口と連通し、空気ポンプによって通気溝にガスが充填される。
通気孔の排気口の孔径は、１〜３ｍｍであり、孔径が大きすぎると、ガス圧が小さすぎて、逆方向風速場の風速が小さすぎになり、液滴の相対速度を向上させるという目的を達成することができなくなる。
通気孔と分流溝との数の比は、１：１〜２：１であり、通気孔の数が少なすぎると、帯状風速場の風速が、相対的に低下し、液滴の相対速度を向上させるという目的を達成することができなくなる。
【００８６】
環状体２は、その径方向において遠心霧化ディスク１との距離３が、１〜２０ｍｍであり、好ましくは、５〜１５ｍｍであり、距離３が小さすぎると、帯状加速風速場を生成することができず、距離３が大きすぎると、液滴の相対速度を向上させる帯状加速風速場の作用を実現できない。
【００８７】
遠心霧化ディスク１の直径は、５０〜３００ｍｍである。
液滴が遠心霧化ディスクから弾き飛ばされる速度を向上させ、遠心霧化効果を向上させるためには、分流溝１１をアルキメデス曲線状とする。
遠心霧化ディスク１の回転速度は、２０００〜５００００回転／分であり、好ましくは、１００００〜５００００回転／分である。
【００８８】
動作状態において、遠心霧化ディスク１が回転して液滴を分流溝１１から弾き飛ばし、環状体２におけるの通気孔２３は、その軸方向に沿って遠心霧化ディスク１に向いてガスを噴出し、ガスの噴出により生成された気流によって環状体２と遠心霧化ディスク１との間に、遠心霧化ディスク１自体の順方向風速場を弱めるか又は逆転させる逆方向風速場が生成される。
これにより、遠心霧化ディスク１と環状体２との間に帯状加速風速場が提供され、帯状加速風速場は液滴と空気との相対速度が向上され、また、通気孔２３内で生成された高圧気流の方向と分流溝１１から弾き飛ばされた液滴の方向が反対になり、それにより、液滴をさらに引き裂き、霧化効果がより良くなる。
高圧気流の流速が向上されると、帯状加速風速場の風速場方向を直接制御することができ、順方向風速場を弱めるか又はそれと互いに逆方向である帯状加速風速場を実現し、液滴の相対速度を能動的に向上させ、このとき、遠心霧化ディスク１の回転速度の向上を不要としても、液滴の粒径の大きさを大幅低下させることができ、簡単、便利且つ容易に実現できる。
【００８９】
図９を参照すると、本発明の実施例は、図示されていない噴霧装置（手持ち噴霧機或いは噴霧ドローンなど）に設けられる遠心霧化装置をさらに提供し、複数の分流溝１１が開設されている遠心霧化ディスク１を備え、各分流溝１１は、遠心霧化ディスク１の中央位置から縁に向けて延伸する。
【００９０】
遠心霧化ディスク１の外側には環状体２が設けられ、遠心霧化ディスク１は、噴霧装置の本体に対して回転可能に設けられ、環状体２も噴霧装置の本体に対して回転可能に設けられる。
遠心霧化ディスク１と環状体２とは、それぞれ対応するモータの駆動によって回転され、この環状体２と遠心霧化ディスク１とは、同軸で且つ互いに逆回転可能であり、この環状体２は、その径方向において遠心霧化ディスク１との間に距離３を有し、遠心霧化ディスク１の回転によってその周囲に順方向風速場が生成され、この順方向風速場は、遠心霧化ディスク１の中心の周りを時計回り或いは反時計回りに回転し、動作状態において、環状体２は、遠心霧化ディスク１との間に逆方向風速場を提供する。
この逆方向風速場の回転方向と順方向風速場の回転方向とは逆であり、逆方向風速場と順方向風速場との相互作用により、遠心霧化ディスクと環状体との間に帯状加速風速場が形成される。
環状体２には、その周方向に沿って複数の歯２１が間隔を置いて設けられ、各歯２１は、環状体２の中心を基準として外に向けて放射状に配置され、環状体２が回転する際に、歯２１の遠心霧化ディスク１に近い側でその近傍の空気を連動させて流動させる。
これにより、帯状気流が生成され、複数の帯状気流によって逆方向風速場が形成され、この逆方向風速場が遠心霧化ディスク１自体の順方向風速場を弱めるか又は逆転させる。
このため、液滴の空気に対する相対速度を向上させることができ、霧化効果が向上する。
帯状気流の方向は、遠心霧化ディスク１から弾き飛ばされる液滴の方向と反対であり、液滴をより効果的に切断することができ、霧化効果がさらに向上する。
【００９１】
歯２１は、環状体２の周方向に間隔を置いて均一に分布される。
歯２１の径方向断面は、矩形又は弧状であり、歯２１の径方向断面が矩形である場合、遠心霧化ディスク１上で矩形の長辺の中点を通る半径と当該長辺との間の挟角は、０°〜６０°であり、歯２１の径方向断面が弧状である場合、遠心霧化ディスク１上で弧状の中点を通る半径とこの弧状の中点を通る接線との間の挟角は、０°〜６０°である。
【００９２】
液滴は、帯状気流を経由後に歯２１に衝突し、隣り合う歯の間から発散される。
こうすると、衝突され後の液滴の粒径がより小さくなり、より均一になり、霧化効果がより良くなる。
歯２１の挟角の設計により、衝突の効果がより良くなり、より一層、４５°の最適入射角での衝突を実現でき、霧化効果がより良い。
【００９３】
隣り合う２つの歯２１同士の周方向距離は、２ｍｍより大きく、好ましくは、３ｍｍより大きく、より好ましくは、４ｍｍより大きく、歯２１上の表面張力によって液膜が生成されることにより、液滴が歯２１の表面に溜まることを防止するようにする。
【００９４】
歯２１は、放射方向におけるサイズが、２〜４ｍｍであり、その軸方向におけるサイズが３ｍｍより大きく、放射方向に垂直な方向におけるサイズが０．５〜１ｍｍである。
歯２１の放射方向におけるサイズが短すぎると、歯２１を設計する際に密になりすぎて接着してしまう可能性があり、歯２１の放射方向におけるサイズが長すぎると、複数の液滴が１つの歯２１に同時に衝突して、歯２１の表面に液膜が形成される。
これにより、次の液滴が液膜によって吸収され、衝突による霧化を実現できなくなり、前記歯２１の径方向断面が弧状である場合、この弧に対応する弦長が当該歯の放射方向におけるサイズとなる。
【００９５】
環状体２及び歯２１には、電気めっきポリテトラフルオロエチレン層又はナノ層がコーティングされているため、環状体２及び歯２１は、粘着しない効果を有し、液滴が溜まることを防止し、霧化効果が向上する。
【００９６】
歯２１と分流溝１１との数の比は、０．５：１〜２：１であり、好ましくは、１：１〜１．８：１である。
【００９７】
径方向における環状体２と遠心霧化ディスク１との間の距離３が、１〜２０ｍｍであり、好ましくは、３〜１０ｍｍであり、距離３が小さすぎると、帯状加速風速場を生成できず、距離３が大きすぎると、帯状加速風速場は、液滴の相対速度を向上させる作用を実現できないとともに、さらに衝突する効果も実現できなくなる。
【００９８】
遠心霧化ディスク１の直径は、５０〜３００ｍｍである。分流溝１１は、アルキメデス曲線状である。
遠心霧化ディスク１の回転速度は、２０００〜５００００回転／分であり、好ましくは、１００００〜５００００回転／分であり、環状体２の回転速度は、２０００〜５００００回転／分であり、好ましくは、１００００〜５００００回転／分である。
環状体２の回転速度を向上させることにより、帯状加速風速場の方向の転向を実現でき、環状体２の回転速度の増加に伴って、帯状加速風速場は、順方向風速場と同じ回転方向から順方向風速場と逆の回転方向に転向することができ、つまり、環状体２の回転速度を直接且つ能動的に制御することができ、液滴の空気に対する相対速度を向上させ、それにより液滴の噴霧粒径の大きさを低下させる。
本実施例において、環状体２の回転速度を選択することにより、液滴の噴霧粒径の大きさを簡単且つ便利に制御することができ、遠心霧化ディスクの回転速度の向上を不要としても、遠心霧化ディスクの回転速度が速すぎて割れてしまうのを避け、容易に実現することができる。
【００９９】
動作状態において、液滴が遠心霧化ディスクから弾き飛ばされた後に帯状加速風速場の作用を受けて、液滴の空気に対する相対速度を向上させ、霧化効果が向上し、また、液滴が歯２１に衝突し、正確な衝突によってさらなる霧化を実現し、霧状微粒子の均一度を向上させ、液滴の平均粒径を低下させ、平均粒径が３０マイクロメートルの霧化効果、さらには、平均粒径が１０マイクロメートル以下の霧化効果を達成することができる。
具体的な一実施例において、遠心霧化ディスク１の回転速度は、２５０００回転／分であり、環状体２の回転速度は、１８０００回転／分であり、遠心霧化ディスク１の直径は、１００ｍｍであり、距離３は、７ｍｍである。
このとき、液滴の平均粒径が１０マイクロメートル以下の霧化効果を実現でき、噴霧効果を著しく向上させ、これは、従来技術では達成しにくい効果である。
【０１００】
簡略に説明するため、本実施例に言及されていない点は、上記の実施例を参照することができる。
【０１０１】
より好ましい形態は、図１０から図１４を参照されたい。
本実施例に係る駆動装置は、上記の実施例に記載の噴霧装置に属し、上記の実施例に説明されている技術的解決手段も、当該実施例に属する。
従来技術における駆動装置の構造が不安定で、慣性モーメントが大きいという問題のうち少なくとも１つを解決するため、本発明は、駆動装置１００を提供し、図１０、図１１及び図１３を参照すると、機体から予め設定された長さだけ延出した第１出力軸１０１を含む第１駆動モータ１０と、第１出力軸１０１が貫通して延出するように中空に形成された第２出力軸２０１を含み、第１駆動モータ１０と同軸で直列になる第２駆動モータ２０とを備えている。
第１出力軸１０１を第２出力軸２０１に挿通して２つの駆動モータを直列に設けることにより、第１出力軸１０１及び第２出力軸２０１の直径を小さくし、慣性モーメントを低下させ、駆動装置の回転速度を増加させ、これにより、回転速度の高い噴霧装置を実現する。
【０１０２】
なお、駆動装置１００の横断面の円心を結ぶ線の方向を軸線方向と定義し、駆動装置１００の横断面の円の直径方向を径方向と定義する。
ここで、第１駆動モータ１０と第２駆動モータ２０とを同軸で直列に設け、つまり、第１駆動モータ１０は、軸線方向に沿って同軸で第２駆動モータ２０に重ねて設けられ、軸線方向に沿う第２出力軸２０１を貫通する軸線方向に沿う第１出力軸１０１のみが両者間を通る。
このように設計すると、第１出力軸１０１及び第２出力軸２０１の直径をできるだけ小さくすることができ、直径が小さいほど、駆動モータの慣性モーメントが小さくなり、高速回転時より安定になる。
第１出力軸１０１の予め設定された長さは、第２駆動モータの長さより長く、第２駆動モータ２０の長さ及び挟持する回転盤などの要因によって変更されることができるので、ここでは、限定しない。
【０１０３】
駆動装置１００は、第２出力軸２０１の末端に同軸で設けられる接続部材４及び固定部材５をさらに備えている。
第１出力軸１０１及び第２出力軸２０１を支持し、安定化させるために、接続部材４の一端は、第２出力軸２０１に外挿されて固定され、他端には、第１出力軸１０１に外挿された固定部材５が充填される。
なお、第２出力軸２０１の末端は、第１出力軸１０１が延出する一端である。
具体的には、図１０に示すように、接続部材４は、中空の円筒状であり、第２出力軸２０１の末端がその一端に深く入って接続固定される。
接続方法としては、締まりばめ接続が好ましく、つまり、第２出力軸２０１の末端の最大外径がそれに嵌合する接続部材の一端の最大内径より大きく、外力で接続部材４を第２出力軸２０１に緊密に外挿させるのであり、構造が簡単で、組立が容易である。
もちろん、第２出力軸２０１及び接続部材４の接続方法は、これに限定されることではなく、ボルト接続、リベット接続などであってもよい。
接続部材４及び固定部材５を第２出力軸２０１から延出した第１出力軸１０１の一端に設けることにより、最長距離で２つの出力軸を支持することができ、第１出力軸１０１或いは第２出力軸２０１の長さが長すぎて末端構造が不安定になって、互いに接触又は摩擦して回転に影響を及ぼすことを防止し、２つの駆動モータの出力軸の安定性を最大限に保証して、回転効果を向上させる。
【０１０４】
選択的に、駆動装置１００は、第１駆動モータ１０及び第２駆動モータ２０の外側に外挿されて、第１駆動モータ１０及び第２駆動モータ２０を固定させるハウジング３０をさらに備えている。
第１駆動モータ１０及び第２駆動モータ２０を共に１つのハウジング３０内に設けらせることは、構造が合理的で、装置が安定的であり、取り付けが容易になる。
【０１０５】
本発明の実施例は、第１出力軸及び第２出力軸を直列に設けるとともに、第１出力軸を第２出力軸に挿通することにより、慣性モーメントが低下され、回転速度が向上され、２００００回転／分以上の高速回転を実現することができる。
２つの駆動モータが同一のハウジング３０に直列に設けられることにより、２つの出力軸同士の位置関係が安定化され、摩擦が回避され、接続部材と固定部材の嵌合により、２つの出力軸同士の位置がより安定的であり、回転に対する摩擦の影響が低下される。
【０１０６】
簡略に説明するため、本実施例に言及されていない点は、上記の実施例を参照することができる。
【０１０７】
より好ましい形態は、図１０及び図１５、図１６、図１７、図１８並びに図１９を参照すると、本実施例に係るデュアル駆動噴霧装置は、上記の実施例に記載の噴霧装置に属し、上記の実施例に説明された技術的解決手段も、当該実施例に属する。
本実施例に係るデュアル駆動噴霧装置は、上記の実施例に係る駆動装置を備えている。
【０１０８】
従来技術におけるデュアル駆動噴霧装置の慣性モーメントが大きく、構造が不安定であるという問題のうち少なくとも１つを解決するために、本発明は、デュアル駆動噴霧装置２００を提供している。
図１０、図１６、図１７を参照すると、デュアル駆動噴霧装置２００は、上記の実施例に係る駆動装置と、第１出力軸１０１に外挿されてそれに固定接続される第１回転盤１４と、第２出力軸２０１に外挿されてそれに固定接続される第２回転盤２４と、を備えている。
選択的に、第１回転盤１４の中央位置には、第１出力軸１０１が貫通される第１位置決め穴１４１が設けられ、第１位置決め穴１４１の形状が第１出力軸１０１の横断面の形状と互いに相補されることにより、第１出力軸１０１が第１位置決め穴１４１を貫通して強固に固定される。
ここで、固定方法は、限定せず、ボルト、締結具などを介して接続されてもよく、好ましくは、構造が簡単で、取り付けが容易になるように、第１出力軸の最大外径を第１位置決め穴の直径より大きく設計して、第１出力軸と第１位置決め穴とを締まりばめ接続で固定する。
選択的に、第２回転盤２４の中央位置には、第２出力軸２０１が貫通される第２位置決め穴２４１が設けられ、第２位置決め穴２４１の形状が第２出力軸２０１の横断面の形状と互いに相補されることにより、第２出力軸２０１が第２位置決め穴２４１を貫通して強固に固定される。
ここで、固定方法は、限定せず、ボルト、締結具などを介して接続されてもよく、好ましくは、構造が簡単で、取り付けが容易になるように、第２出力軸の最大外径を第２位置決め穴の直径より大きく設計して、第２出力軸と第２位置決め穴とを締まりばめ接続で固定する。
【０１０９】
デュアル駆動噴霧装置２００は、第２出力軸２０１の末端に同軸で設けられる接続部材４及び固定部材５をさらに備えている。
第１出力軸１０１及び第２出力軸２０１を支持して安定化させるために、接続部材４の一端は、第２出力軸２０１に外挿されて固定され、他端には、第１出力軸１０１に外挿された固定部材５が充填される。
なお、第２出力軸２０１の末端は、第１出力軸１０１が延出する一端である。
具体的には、図１５に示すように、接続部材４は、第２回転盤２４と第１回転盤１４との間に設けられるとともに、第２出力軸２０１の末端に固定されたものであり、固定部材５は、第１出力軸１０１に外挿されるとともに、接続部材４の内部に充填されるものであり、第１出力軸１０１及び第２出力軸２０１は、固定部材５によって支持されることにより、両者間の衝突・摩擦が防止される。
このデュアル駆動噴霧装置２００は、２つの駆動モータが同軸同心で設けられ、同じ側で２つのモータで２つの回転盤を回転させ、接続部材と固定部材との協力によって慣性モーメントを低下させることができ、２つの駆動モータの構造がより強固になり、回転がより安全且つ効果的であり、より安定的で且つより高効率な噴霧作業を実現することができる。
【０１１０】
選択的に、第２回転盤２４は、接続部材４に外挿されて第２出力軸２０１に固定接続することができる。
図１７に示すように、第２位置決め穴２４１は、接続部材４を介して第２出力軸２０１に固定接続される。
図１５の実施例との異なる点は、下記の通りである。
接続部材４が、第２出力軸２０１と第２回転盤２４との間に設けられ、接続部材４の横断面の形状と互いに相補する第２位置決め穴２４１を介して第２回転盤２４が接続部材４に固定接続される。
接続部材４自体が第２出力軸２０１に固定接続されるため、つまり、第２出力軸２０１、接続部材４、第２回転盤２４との三者が接続固定されるため、接続部材４の取り付けスペースが大幅に節約され、第１回転盤１４と第２回転盤２４との間の距離が大きすぎることを回避することができる。
ここでは、接続方法は、限定せず、ボルト接続、締まりばめ接続、射出成形接続などであってもよい。
【０１１１】
選択的に、接続部材４は、中空凸部である嵌合部４１を含み、嵌合部４１は、固定部材５を充填するための充填室４２を形成し、第２回転盤２４は、嵌合部４１に外挿される。
ここで、第２位置決め穴２４１は、接続部材４の一端の嵌合部４１に接続固定されることにより、接続部材４全般に固定される必要がなく、第２回転盤２４の構造設計を減らしながら、巧みに固定部材５を充填することができるので、接続部材４及び固定部材５の取り付けスペースをさらに節約することができる。
【０１１２】
好ましくは、嵌合部４１にその周方向に沿ってフランジ４３を設けることにより、第２回転盤２４との接触面積を増やすことができ、固定後の離脱防止効果がより良く、第２回転盤２４と接続部材４との固定接続の強さを増加させて、安全性及び安定性を向上させることができる。
【０１１３】
選択的に、第１回転盤１４は、第１出力軸１０１の末端に外挿され、第２回転盤２４は、軸線方向上で第１回転盤１４と軸方向距離を有している。
なお、第１出力軸１０１の末端は、デュアル駆動噴霧装置２００を垂直に置くときの最下端であり、デュアル駆動噴霧装置２００と作業対象との距離が最も近い一端でもある。
軸線方向における、第２回転盤２４と第１回転盤１４との軸方向距離は、両回転盤が互いに衝突して回転及び噴霧効果に影響を及ぼすことがない程度に保証されることができれば、軸方向距離に対して限定せず、当業者が要求によって設計することができる。
具体的には、第１出力軸１０１、第２出力軸２０１、第１位置決め穴１４１、第２位置決め穴２４１が同軸になるように設計され、第１出力軸１０１は、第２出力軸２０１の一端から一定の長さだけ延出され、第１回転盤１４及び第２回転盤２４は、互いに干渉することなく、それぞれ第１出力軸１０１、第２出力軸２０１の回転によって連動されて互いに異なる水平面上で同軸動きを行うので、非常に高い速回転を達成することができる。
ここで、延出する長さは、限定せず、第２回転盤２４と第１回転盤１４との軸方向距離に関連され、当業者が回転盤の大きさや霧化効果に対する影響要因に基づいて設計することができるものであり、第１出力軸１０１に接続している第１回転盤１４と第２出力軸２０１に接続している第２回転盤２４とが互いに干渉せず、霧化効果に影響しないことを保証できればよい。
【０１１４】
具体的な噴霧方法は、下記の通りである。
図１８を参照すると、第２回転盤２４には、複数の遠心流路２４２が設けられており、第２出力軸２０１の駆動によって高速回転する第２回転盤２４は、注入された薬液を遠心力で霧化させて微細なミスト滴を形成し、第２回転盤２４には、ミスト滴の飛び散りを防止するための蓋部材がさらに設けられ、蓋部材には、液体を第２回転盤２４に注入させるための給水口が設けられている。
もちろん、ある場合においては、蓋部材を設けず、液体を第２回転盤２４に直接に注入させてもよい。
第１回転盤１４は、第２回転盤２４と同軸で設けられ、その径方向の側面には、周方向に沿って複数の歯１４２が設けられ、歯１４２は、第２回転盤２４の軸方向側辺との間に径方向距離を有している。
このように設計することにより、第１回転盤１４が第２回転盤２４の外側よりも延出され、第１回転盤１４の歯が第２回転盤２の外側よりも延出されている。
組立状態で、歯１４２は、第２回転盤２４の軸方向の側面で歯１４２の上端面の高さが第２回転盤２４の水平高さ以上になるように延出される。
これにより、第２回転盤２４から弾き飛ばされたミスト滴が全面的に２次霧化され、可能な限り多いミスト滴が２次霧化されることを保証することができる。
一実施例において、歯１４２の上端面の高さが、第２回転盤２４の水平高さより小さいようにしてもよく、このとき、第２回転盤２４の上方に風力装置を設けて、風力装置の作用により、ミスト滴は、下降傾向があり、歯１４２の高さを増加することなく、全面的な２次霧化を実現することができる。
第１出力軸１０１の駆動によって高速回転する歯１４２は、ミスト滴に対して衝突して２次霧化の目的を実現し、ミスト滴の粒径を小さくしてミスト滴の均一性を向上させることができ、３０マイクロメートル以下のミスト滴を形成できる効果がある。
径方向距離は、第１回転盤１４の回転速度、第２回転盤２４の回転速度、歯の大きさ、歯の密度、達成しようとするミスト滴の粒径の大きさなどに関連し、ここでは限定しない。
また、歯１４２の高さと第２回転盤２４の水平高さの関係を考慮して、第１回転盤１４及び第２回転盤２４を設計する際に、軸方向距離が大きすぎてはいけず、そうでなければ、歯１４２の構造が高すぎて回転速度に影響を及ぼすことができる。
【０１１５】
選択的に、図１７に示すように、固定部材５は、第１出力軸１０１に固定接続される内環５１と、接続部材４に固定接続される外環５２と、内環５１と外環５２との間に設けられて転がり摩擦を形成する転動体５３と、を備えている。
具体的には、固定部材５は、内環５１、外環５２、転動体５３及び保持器５４を備えている。
内環５１は、第１出力軸１０１の回転に伴って回転され、外環５２は、第２出力軸２０１の回転に伴って回転され、内環５１及び外環５２は、複数の転動体５３を介して転がり摩擦回転を行い、保持器５４は、内環５１及び外環５２に均等に分布している複数の転動体を保持する。
このように、固定部材５及び接続部材４は、第１出力軸１０１及び第２出力軸２０１を支持し、摩擦係数を低下させ、抵抗の影響を低減させるように協力し、これにより、両出力軸が接触して摩擦が生じることを回避することができる。
なお、図１1に示す固定部材５の構造は、図１５及び図１７と同じであるため、ここで、その具体的な構造を省略する。
【０１１６】
なお、第１出力軸１０１は、第２出力軸２０１を貫通してから固定部材５を貫通し、接続部材４は、第２出力軸２０１及び固定部材５に同時に外挿されて両者と強固に接続されており、接続部材４の外側に第２回転盤２４が外挿されて両者が接続される。
第２出力軸２０１が回転する際に、接続部材４、第２回転盤２４及び固定部材５上の外環は、連動されて同じ回転速度で同じ方向に回転される。
固定部材５を貫通する第１出力軸１０１には、上から下の順に固定部材５の内環及び第１回転盤１４が外挿され、第１出力軸１０１が回転する際に、第１回転盤１４及び固定部材５の内環は、連動されて同じ回転速度で同じ方向に回転される。
固定部材５は、支持及び安定の役割を果たし、第１出力軸１０１と第２出力軸２０１との摩擦を防止する。
【０１１７】
好ましくは、接続部材４は、中空凸部である嵌合部４１を含み、図１５、図１７及び図１９に示すように、この嵌合部４１には、固定部材５を充填するための充填室４２が形成されている。
具体的には、接続部材４は、中空の段付き円筒状であり、その一端には中空直径が他端より大きい嵌合部４１が設けられ、嵌合部４１は、固定部材５に外挿されて固定部材５を収容する。
このように、嵌合部４１は、より容易に固定部材５を収納することができ、組立が容易になり、取り付けの適否の検証も容易になり、また、第２出力軸２０１の側壁の径方向幅を大きくするか、又は固定部材５の最大外径を小さくするとの不適なことも回避することができる。
固定部材５は、一定のサイズを有し、サイズが小さすぎると、支持役割を実現できず、嵌合部４１の設置により、固定部材５の嵌合収容のために第２出力軸２０１の側壁の径方向幅を大きくすることを回避でき、第２出力軸２０１の径方向幅が大きいほど、慣性モーメントも大きくなり、高速回転を実現できないことを防止することができる。
嵌合部４１の設計により、固定部材５の組立が容易になるだけではなく、第２出力軸２０１の直径が大きすぎて慣性モーメントが大きくなることを防止する。
嵌合部４１を第２出力軸２０１と第２回転盤２４との間に設けることにより、さらに、第２回転盤２４の構造の設計を減らすことができ、接続部材４及び固定部材５の全体的な取り付けスペースを節約して、一石多鳥の効果が得られる。
【０１１８】
デュアル駆動噴霧装置２００について、選択的に、第１出力軸１０１は、直径≦８ｍｍで、第２出力軸２０１は、中空直径≦１２ｍｍで、第２出力軸２０１の側壁は、径方向幅ｄ≦５ｍｍである。
ここで、側壁の径方向幅は、第２出力軸２０１の径方向での側壁の厚さである。
さらに、例えば、第１出力軸１０１の直径は、５ｍｍで、第２出力軸２０１の中空直径は、６ｍｍで、側壁の径方向幅ｄは、１ｍｍであり、又は、第１出力軸１０１の直径は、４ｍｍで、第２出力軸２０１の中空直径は、５ｍｍで、側面の径方向幅ｄは、２ｍｍであるなど、第１出力軸１０１及び第２出力軸２０１をより小さく設計してもよく、当業者は、構造要件によって第１出力軸１０１及び第２出力軸２０１のサイズを設計してもよく、そのサイズに対しては限定しない。
好ましくは、第１出力軸１０１の直径、第２出力軸２０１の中空直径及び側壁の径方向幅ｄを小さく設計するほど、慣性モーメントが小さくなり、高速回転がより実現されやすい。
【０１１９】
選択的に、第１出力軸１０１と第２出力軸２０１とは、互いに嵌合するように径方向隙間を有し、当該径方向隙間は、ａ≧０．１ｍｍ及び／又は≦１ｍｍであり、第１出力軸１０１は、円筒状であり、第２出力軸２０１は、中空の円筒状であり、両者は、嵌合貫設される。
ある場合では、第１出力軸１０１と第２出力軸２０１とが接触して摩擦が生じて、モータの出力に影響を及ぼし、高速回転を実現できなくなることを防止するために、径方向隙間ａが小さすぎてはいけず、≧０．１ｍｍである必要がある。
別の場合では、その径方向隙間ａは、大きすぎてもいけず、第１出力軸１０１と第２出力軸２０１との隙間が大きすぎると、第２出力軸２０１の直径も大きすぎ、慣性モーメントが大きくなって、高速で回転することを実現できなくなることを防止するために、径方向隙間はａ≦１ｍｍである。
径方向隙間ａは、≧０．１ｍｍ及び≦１ｍｍを同時に満たしてもよく、≧０．１ｍｍ、或いは、≦１ｍｍのうちのいずれか１つの条件を満たしてもよく、ここでは限定しない。
【０１２０】
選択的に、第１駆動モータ１０は、内輪に設けられて第１出力軸１０１が回転されるように駆動する第１ロータ１３と、外輪に設けられる第１ステータ１２と、を備え、第２駆動モータ２０は、内輪に設けられて第２出力軸２０１が回転されるように駆動する第２ロータ２３と、外輪に設けられる第２ステータ２０２と、を備えている。
第１ステータ１２及び第２ステータ２０２は、それぞれ第１駆動モータ１０及び第２駆動モータ２０の外側に外挿されるハウジング３０に固定接続される。
具体的には、ハウジング３０は、第１駆動モータ１０及び第２駆動モータ２０の外側に外挿され、第１ステータ１２及び第２ステータ２０２を介して第１駆動モータ１０及び第２駆動モータ２０をハウジング３０に固定させ、構造が合理的で、装置が安定的であり、取り付けやすい。
ここで、第１ステータ１２及び第２ステータ２０２のそれぞれとハウジング３０との接続方法に対しては限定せず、締まりばめ接続、ネジ接続、スナップ接続、接着剤接続などを含み、第１駆動モータ１０及び第２駆動モータ２０がそれぞれハウジング３０に接続される堅固さを保証できればよい。
第１ロータ１３は、第１出力軸１０１が回転されるように駆動し、第２ロータ２０３は、第２出力軸２０１が回転されるように駆動し、第１ステータ１２及び第２ステータ２０２は、それぞれハウジング３０に固定される。
このように、両駆動モータの間に余分な安定部材を設ける必要なく、第１出力軸１０１及び第２出力軸２０１の位置関係を保証でき、両者間の接触による摩擦が回転に影響を及ぼすことを防止することができる。
なお、第１駆動モータ１０及び第２駆動モータ２０は、ブラシ付きモータであっても、ブラシレスモータであってもよい。
【０１２１】
好ましくは、第２出力軸２０１の前記第２駆動モータ２０を貫通する両端にそれぞれ軸受６を外挿し、第１出力軸１０１の前記第２駆動モータ２０に近い一端にも軸受６を外挿することができる。
図１７を参照すると、第１出力軸１０１に軸受６が外挿され、第２出力軸２０１に２つの軸受が外挿されることにより、第１出力軸１０１及び第２出力軸２０１を支持し、安定化させる役割を果たす。
３つの軸受６は、第２出力軸２０１の末端に設けられた接続部材４及び固定部材５と協力して、第１出力軸１０１及び第２出力軸２０１が互いに衝突・摩擦することなく、安定的に作動することができ、第１出力軸１０１の長さがどれだけ長くても、回転が不安定になって回転の制御に影響を及ぼすことは発生しない。
別の実施例において、図１０及び図１５に示すように、第１出力軸１０１の第２駆動モータから離れた一端にも軸受６が外挿されることができる。
こうすると、第１ロータ１３の両側のいずれにも軸受６が設けられて、第１出力軸の安定性を保証することができる。
もちろん、軸受の増加により、コストや重量が増加することができる。
【０１２２】
好ましくは、軸受６と第１ロータ１３との間、及び、軸受６と第２ロータ２０３との間にそれぞれスリーブ７を設けて、第１ロータ１３及び第２ロータ２０３が回転中に上下に動いて、回転に影響を及ぼすことを回避することができる。
【０１２３】
選択的に、第２駆動モータ２０の接続部材４に近い一端にエンドカバーが設けられ、エンドカバーの中央位置に密封部材８が設けられ、密封部材８が、第２出力軸２０１に嵌設されて、防塵・防水の目的を達成することができる。
エンドカバーとハウジング３０とは、密封接続され、その内に第１駆動モータ１０及び第２駆動モータ２０を収容する。
【０１２４】
以下では、例を挙げて、デュアル駆動噴霧装置２００の動作について説明する。
第２駆動モータ２０は、第２出力軸２０１が時計回りに回転するように駆動する。
それにより、第２回転盤２４が連動されて時計回りに回転し、第１駆動モータ１０は、第１出力軸２１が反時計回りに回転するように駆動し、第１回転盤１４が連動されて反時計回りに回転し、回転速度は、いずれも２００００回転／分以上に達し得る。
複数の遠心流路２４２が設けられている第２回転盤２４に薬液を注入し、薬液は、高速回転する遠心流路２４２の作用によって引き裂かれて微細なミスト滴を形成し、また、第１回転盤１４には、複数の歯１４２が設けられており、高速回転する歯１４２は、ミスト滴に対して２次霧化の作用を果たし、ミスト滴の粒子がより小さくなり、より均一になり、３０マイクロメートル以下の霧化効果を実現することができる。
なお、第１出力軸及び第２出力軸の回転方向を限定せず、同じ方向であっても、逆方向であってもよく、時計回りに回転しても、反時計回りに回転してもよく、当業者は、要求によって第１駆動モータ及び第２駆動モータの回転方向を制御することができる。
【０１２５】
本発明は、第１出力軸と第２出力軸とを直列に設けるとともに、第１出力軸を第２出力軸に挿通することにより、慣性モーメントを低下させ、回転速度を向上させ、２００００回転／分以上の高速回転を実現している。
２つの駆動モータは、同一のハウジング３０に直列に設けられることにより、２つの出力軸同士の位置関係が強固になり、摩擦を回避し、接続部材及び固定部材の嵌合により、２つの出力軸同士の位置がより安定的であり、回転に対する摩擦の影響を低下させる。
接続部材及び固定部材が第２出力軸と第２回転盤との間に設けられることにより、接続部材及び固定部材の取り付けスペースを大幅節約し、また構造が簡単で、取り付けやすく、第２出力軸及び第２回転盤の接続の堅固さも保証することができる。
【０１２６】
上記の実施例は、本発明を説明するためのものに過ぎず、本発明を限定するものではなく、当業者であれば、本発明の範囲を逸脱しない前提で、さらに様々な変更や変形が可能であり、そのため、すべての均等な技術的解決手段も本発明の範囲に属すべきである。
【産業上の利用可能性】
【０１２７】
本発明の実施例に係る遠心霧化構造は、霧状微粒子の均一度を向上させることができ、衝突により、霧化がより十分になり、霧状微粒子もより均一になり、かんがい・噴霧がより均一で、より浸透しやすくなるとともに、薬液の使用量を効果的に節約することができる。
【符号の説明】
【０１２８】
１      ・・・遠心霧化ディスク
１１    ・・・分流溝
２      ・・・環状体
２１    ・・・歯
２３    ・・・通気孔
３      ・・・距離
１００  ・・・駆動装置
１０    ・・・第１駆動モータ
１０１  ・・・第１出力軸
１２    ・・・第１ステータ
１３    ・・・第１ロータ
１４    ・・・第１回転盤
１４１  ・・・第１位置決め穴
１４２  ・・・歯
２０    ・・・第２駆動モータ
２０１  ・・・第２出力軸
２０２  ・・・第２ステータ
２０３  ・・・第２ロータ
２４    ・・・第２回転盤
２４１  ・・・第２位置決め穴
２４２  ・・・流路
３０    ・・・ハウジング
４      ・・・接続部材
４１    ・・・嵌合部
４２    ・・・充填室
４３    ・・・フランジ
５      ・・・固定部材
５１    ・・・内環
５２    ・・・外環
５３    ・・・転動体
５４    ・・・保持器
６      ・・・軸受
７        ・・・スリーブ
８        ・・・密封部材
２００    ・・・デュアル駆動噴霧装置
【図１】
2021519693.tif 000003
【図２】
2021519693.tif 000004
【図３】
2021519693.tif 000005
【図４】
2021519693.tif 000006
【図５】
2021519693.tif 000007
【図６】
2021519693.tif 000008
【図７】
2021519693.tif 000009
【図８】
2021519693.tif 000010
【図９】
2021519693.tif 000011
【図１０】
2021519693.tif 000012
【図１１】
2021519693.tif 000013
【図１２】
2021519693.tif 000014
【図１３】
2021519693.tif 000015
【図１４】
2021519693.tif 000016
【図１５】
2021519693.tif 000017
【図１６】
2021519693.tif 000018
【図１７】
2021519693.tif 000019
【図１８】
2021519693.tif 000020
【図１９】
2021519693.tif 000021
【国際調査報告】
2021519693.tif 000022
2021519693.tif 000023
2021519693.tif 000024
2021519693.tif 000025
2021519693.tif 000026
2021519693.tif 000027